(57)【特許請求の範囲】
【請求項１】
外装部材の前面に振り子を覆うカバーが着脱自在に装着されるメトロノームであって、
上記カバーの一端部には、当該カバーの内方へ向けて突出する突起部が形成されており、
上記外装部材の前面には、上記突起部が差し込まれる凹部と、上記カバーの他端部が係合する係合部とが形成されており、
上記凹部には、上記突起部を介して上記カバーを上記突起部の抜き出し方向へ向けて付勢する弾性ゴムが収納保持され、その前方側の内壁面には、上記突起部の抜き出し方向へ向けて、凹部開口を徐々に拡幅する斜面部が設けられており、
上記斜面部は、上記弾性ゴムと上記突起部が当接する位置よりも低い位置から始まっており、
上記カバーの他端部は、上記弾性ゴムの付勢力により、上記係合部に着脱自在に係合される、
ことを特徴とするメトロノーム。
【請求項２】
上記突起部は、上記カバーの上端部に形成されていることを特徴とする請求項１に記載のメトロノーム。
【発明の詳細な説明】
【０００１】
【発明の属する技術分野】
本発明は、メトロノームに関するものである。
【０００２】
【従来の技術】
従来、メトロノームは、外装ケースの前面に振り子の振動数を表示する振動数表示板が設けられているとともに、振り子および振動数表示板を覆うカバーがいわゆるスナップフィット方式により振動数表示板に着脱自在に装着されており、不使用時には振り子をカバーで覆って保護していた。
【０００３】
【発明が解決しようとする課題】
しかしながら、スナップフィット方式でカバーを振動数表示板に装着する従来の構造では、その構造上、カバーががたついたり、あるいはカバーや振動数表示板の成形精度等によってはカバーが外装ケースから不用意に外れるという問題があった。
【０００４】
そこで、本発明は、振り子保護用カバーが不用意に外れたり、がたついたりすることがないメトロノームを提供することを目的とする。
【０００５】
【課題を解決するための手段】
本発明のメトロノームは、外装部材の前面に振り子を覆うカバーが着脱自在に装着されるメトロノームであって、上記カバーの一端部には、当該カバーの内方へ向けて突出する突起部が形成されており、上記外装部材の前面には、上記突起部が差し込まれる凹部と、上記カバーの他端部が係合する係合部とが形成されており、上記凹部には、上記突起部を介して上記カバーを上記突起部の抜き出し方向へ向けて付勢する弾性ゴムが収納保持され、その前方側の内壁面には、上記突起部の抜き出し方向へ向けて、凹部開口を徐々に拡幅する斜面部が設けられており、上記斜面部は、上記弾性ゴムと上記突起部が当接する位置よりも低い位置から始まっており、上記カバーの他端部は、上記弾性ゴムの付勢力により、上記係合部に着脱自在に係合される、ことを特徴としている。このような構成によれば、突起部を介してカバーを付勢する弾性部材の付勢力により、カバーが係合部に着脱自在に係合するので、カバーが不用意に外れたり、がたついたりすることがない。
【０００８】
また、上記突起部は、上記カバーの上端部に形成されることが好ましい。
【０００９】
【発明の実施の形態】
以下、本発明の実施の一形態を図面に示す実施例に基づき具体的に説明する。
【００１０】
図１に示すように、本発明が適用されたメトロノームは、外装部材としての外装ケース１、振り子２、外装部材としての振動数表示板７、弾性部材としての弾性ゴム８およびカバー９等から構成されている。
【００１１】
外装ケース１は、ケース本体１１と底蓋１２とをいわゆるスナップフィット等の適宜の手段により連結したものである。ケース本体１１には、振り子２を貫通させてメトロノームの前面に露出させるための開口１１ａが形成してある。底蓋１２の下面には、脚部１２ａが複数形成してある。
【００１２】
ケース本体１１の内部には、不図示の周知のメトロノーム機構が保持してあり、メトロノーム機構には振り子軸６が係合している。振り子軸６の前端部には、振り子受け６１が固着してあり、この振り子受け６１に振り子２が固定してある。振り子軸６は振り子２の揺動に連動して揺動し、メトロノーム機構は振り子軸６の揺動に連動して所望のリズムで打鈴動作を行う。
【００１３】
振り子２には、振り子受け６１よりも上方の位置に遊錘３が設けてあり、遊錘３は振り子２の上下方向に移動可能となっている。振り子２の下端部には、２個の固定錘４が振り子２を挟持するように設けられ、ピン５によって固定されている。遊錘３を上下方向に移動させることにより、振り子２の振動数を選択できる。
【００１４】
ケース本体１１の前面には、振り子２の振動数を表示する振動数表示板７が接着剤等により接合固定してある。振動数表示板７には、振り子２を貫通させて外装ケース１の前面に露出させるための開口７１が形成してある。また、振動数表示板７の上端部前面には、前方に突出した鉤状の振り子係止部７２が形成してある。図１に示すように、振り子２の上端部前面が振り子係止部７２に係止されるように振り子２を弾性変形させ、振り子２を振り子係止部７２に係止している。
【００１５】
振り子係止部７２の上部、すなわち振動数表示板７の上端部には、後述する突起部９１が差し込まれる凹部７３が形成してある。この凹部７３には弾性ゴム８が収納保持されており、この凹部７３によって外装ケース１の前方から弾性ゴム８が不可視となり、見映えを損なうことがなく、さらに、カバー９の突起部９１が振動数表示板７の上端部から外れることを防止できる。また、図２に示すように、凹部７３の前方側の壁面７３ａには、その上方に向かって凹部開口を徐々に拡幅する斜面部７４が形成されている。この斜面部７４により、カバー９を振動数表示板７に係合する際に、突起部９１が斜面部７４に案内されて凹部７３への突起部９１の差し込み作業が容易になり、さらに、突起部９１の成形精度にばらつきが生じても突起部９１が弾性ゴム８を確実に圧縮変形可能となる。また、弾性ゴム８の凹部７３への挿入作業も容易になる。
【００１６】
図１および図２に示すように、カバー９は略椀形状をなしており、その上端部にはカバー９の内方へ向けて下方へ突出する突起部９１が形成され、この突起部９１は凹部７３に差し込まれて弾性ゴム８を圧縮変形している。そして、カバー９の下端部９２は、弾性ゴム８が突起部９１を凹部７３から抜き出す方向へカバー９を付勢する力、すなわち弾性ゴム８の上方向への弾性力により、振動数表示板７の係合部としての下端部７５に係合している。こうして、カバー９は、下端部９２が振動数表示板７の下端部７５に係合することにより、振動数表示板７に着脱自在に装着される。
【００１７】
上記構成によれば、カバー９の装着時には、カバー９の突起部９１を凹部７３に差し込み、この差し込み状態のまま弾性ゴム８が圧縮成形されるようにカバー９を下方向へと押し込みつつ、カバー９の下端部９２を振動数表示板７の下端部７５に係合すればよく、これによってカバー９は振動数表示板７に装着される。カバー９を装着した状態では、弾性ゴム８の弾性力によってカバー９が上方に付勢され、カバー９の下端部９２と振動数表示板７の下端部７５とが弾接し、カバー９が不用意に外れたり、カバー９にがたつきが生じたりすることもない。なお、カバー９を取り外す際には、カバー９の装着時と反対の手順でカバー９を振動数表示板７から外せばよく、これによってカバー９を容易に取り外すことができる。
【００１８】
このように、弾性ゴム８の付勢力によって、カバー９の下端部９２が振動数表示板７の下端部７５に係合して、カバー９が振動数表示板７に着脱自在に装着されるので、カバー９が不用意に外れたり、がたついたりすることがない。
【００１９】
次に、本発明の他の実施例について、図３を参照しながら説明する。なお、図３において、上記実施例と同じ構成には同じ符号を附し、その説明を省略する。
【００２０】
図３に示すように、ケース本体１１は、前ケース１３と後ケース１４とを接着等の適宜の手段により連結したものである。前ケース１３には、振り子２を貫通させてメトロノームの前面に露出させるための開口１３ａが形成してある。前ケース１３の上端部前面には前方に突出した鉤状の振り子係止部１３ｂが形成してあり、振り子２の上端部前面が振り子係止部１３ｂに係止されるように振り子２を弾性変形させ、振り子２を振り子係止部１３ｂに係止している。振り子係止部１３ｂの上部、すなわち前ケース１３の上端部前面には、突起部９１が差し込まれる凹部１３ｃが形成してある。この凹部１３ｃには弾性ゴム８が収納保持されている。
【００２１】
カバー９の下端部９２は、弾性ゴム８が突起部９１を凹部１３ｃから抜き出す方向へカバー９を付勢する力、すなわち弾性ゴム８の上方向への弾性力により、前ケース１３の下端部に形成された係合部１３ｄに係合している。こうして、カバー９は、下端部９２の係合部１３ｄへの係合、すなわちケース本体１１との係合により、外装ケース１に着脱自在に装着される。
【００２２】
このように、弾性ゴム８の付勢力によって、カバー９の下端部９２が前ケース１３の係合部１３ｄに係合して、カバー９が外装ケース１に着脱自在に係合するので、上記実施例と同様に、カバー９が不用意に外れたり、がたついたりすることがない。
【００２３】
なお、各実施例では、弾性ゴム８を振動数表示板７または前ケース１３の上端部に設けたが、弾性ゴム８の配設位置はこれに限らず、適宜変更可能である。例えば、振動数表示板７または前ケース１３の下端部、右端部または左端部に凹部を設け、この凹部に弾性ゴム８を収納保持するように設けても良い。この場合、カバー９には弾性ゴム８の配設位置に対応した端部に突起部９１が形成され、その他端部が振動数表示板７または前ケース１３の係合部に係合する。
【００２４】
また、各実施例では、弾性部材として弾性ゴム８を用いたが、弾性部材はこれに限るものではなく、例えば板ばねや、振動数表示板７または前ケース１３と一体に形成される弾性片を用いても良い。
【００２５】
【発明の効果】
本発明のメトロノームは、外装部材の前面に振り子を覆うカバーが着脱自在に装着されるメトロノームであって、カバーの一端部には、当該カバーの内方へ向けて突出する突起部が形成されており、外装部材の前面には、突起部が差し込まれる凹部と、カバーの他端部が係合する係合部とが形成されており、凹部には、突起部を介してカバーを突起部の抜き出し方向へ向けて付勢する弾性部材が収納保持されており、カバーの他端部は、弾性部材の付勢力により、係合部に着脱自在に係合するので、カバーが不用意に外れたり、がたついたりすることがない。
【図面の簡単な説明】
【図１】本発明の実施の一形態を示したメトロノームの中央断面図。
【図２】図１に示すメトロノームの要部拡大図。
【図３】本発明の他の実施の形態を示したメトロノームの中央断面図。
【符号の説明】
１                外装ケース（外装部材）
１３ｃ            凹部
１３ｄ            係合部
２                振り子
７                振動数表示板（外装部材）
７３              凹部
７５              下端部（係合部）
８                弾性ゴム（弾性部材）
９                カバー
９１              突起部
【図１】
0004054593.tif 000002
【図２】
0004054593.tif 000003
【図３】
0004054593.tif 000004